(57)【要約】      （修正有）【課題】高さ調整装置の無い既存の任意のテーブルに容易に付加でき、簡単な操作で容易に大きく高さを変更できる脚長調整装置を提供する。【解決手段】脚長調整装置１５は、長さを調整すべき脚１１の底面を支持し、脚に着脱自在に固着するための第１の固着手段である面ファスナーを備えた支持部材２０と、下端が支持部材の下端よりも下方に位置するように、脚の長さ方向の複数の位置のいずれかにおいて、支持部材と着脱自在に固着するための第２の固着手段である面ファスナーを備えた脚長調整部材２６とを含む。支持部材２０は細長い板状部材で、突起または複数の孔を備えており、脚長調整部材はやはり細長い板状部材で、突起または複数の孔と嵌合する複数の孔または突起を備えている。テーブルなどの脚に容易に装着できると共に、簡単な操作で大幅な高さ調整が可能であるという利点がある。【選択図】図２
0003180565.tif 000002
【実用新案登録請求の範囲】
【請求項１】
長さを調整すべき脚の底面を支持し、前記脚に着脱自在に固着するための第１の固着手段を備えた支持部材と、
下端が前記支持部材の下端よりも下方に位置するように、前記脚の長さ方向の複数の位置のいずれかにおいて前記支持部材と係合する脚長調整部材と、
前記脚長調整部材と前記支持部材とを着脱自在に固着するための第２の固着手段と
を含むことを特徴とする脚長調整装置。
【請求項２】
前記支持部材は細長い板状部材で、突起または複数の孔を備えており、
前記脚長調整部材はやはり細長い板状部材で、前記突起または複数の孔と嵌合する複数の孔または突起を備えている
ことを特徴とする請求項１に記載した脚長調整装置。
【請求項３】
前記支持部材は短辺方向の断面において前記脚と係合する凹部が形成されており、
前記脚長調整部材は短辺方向の断面において前記支持部材と係合する凹部が形成されていることを特徴とする請求項３に記載した脚長調整装置。
【請求項４】
前記第１の固着手段および前記第２の固着手段は、テープ状の面ファスナーであることを特徴とする請求項３に記載した脚長調整装置。
【請求項５】
前記脚長調整部材の下端にはねじ式のアジャスターが備えられていることを特徴とする請求項４に記載した脚長調整装置。
【請求項６】
前記脚長調整部材は軸の周囲にねじ山が設けられたボルト状部材であり、
前記第２の固着手段は前記支持部材と固着されたクランプ部材であり、
前記クランプ部材は、クランプ部材のねじを締めた状態で前記脚長調整部材を回転させることによって前記支持部材との軸方向の位置を調整できるようにするために内面ににねじ溝が切られ、かつ前記ねじを緩めることによって前記ボルト状部材をクランプ部材から離脱可能である
ことを特徴とする請求項１に記載した脚長調整装置。
【考案の詳細な説明】
【技術分野】
【０００１】
本考案は、脚長の調整機能のないテーブルなどに容易に装着でき、脚の長さを容易に調整可能な脚長調整装置に関するものである。
【背景技術】
【０００２】
従来、キャンプ場などの屋外においてテーブルを使用する場合、地面が平らではなく、テーブルが傾いたり、安定せずにがたつくという問題点があった。この問題点を解決するために、例えばテーブルの脚の底部にアジャスターを設けたものがあった。
下記特許文献１には、脚の底部にねじ孔を設け、ねじ棒を備えたアジャスターをねじ孔にねじ込み、脚の高さを調整する高さ調整装置が開示されている。
【先行技術文献】
【特許文献】
【０００３】
【特許文献１】実開昭５０−１２９４５２号公報
【０００４】
上記したような従来の高さ調整装置においては、以下のような課題が存在していた。即ち、従来の高さ調整装置は脚の底部に組み込む構造であるため、高さ調整装置の無い既存のテーブルには容易には適用できない。また、ねじを回して調整を行うため、大きく高さを変更する場合にはねじをたくさん回転させる必要があり、手間がかかる。
【考案の概要】
【考案が解決しようとする課題】
【０００５】
本考案の目的は、上記した従来の問題点を解決し、高さ調整装置の無い既存の任意のテーブルに容易に付加でき、簡単な操作で容易に大きく高さを変更できるようにした点にある。
【課題を解決するための手段】
【０００６】
本考案の脚長調整装置は、長さを調整すべき脚の底面を支持し、前記脚に着脱自在に固着するための第１の固着手段を備えた支持部材と、下端が前記支持部材の下端よりも下方に位置するように、前記脚の長さ方向の複数の位置のいずれかにおいて前記支持部材と係合する脚長調整部材と、前記脚長調整部材と前記支持部材とを着脱自在に固着するための第２の固着手段を含むことを最も主要な特徴とする。
【０００７】
また、上記した脚長調整装置において、前記支持部材は細長い板状部材で、突起または複数の孔を備えており、前記脚長調整部材はやはり細長い板状部材で、前記突起または複数の孔と嵌合する複数の孔または突起を備えている点にも特徴がある。
また、上記した脚長調整装置において、前記支持部材は短辺方向の断面において前記脚と係合する凹部が形成されており、前記脚長調整部材は短辺方向の断面において前記支持部材と係合する凹部が形成されている点にも特徴がある。
【０００８】
また、上記した脚長調整装置において、前記第１の固着手段および前記第２の固着手段は、テープ状の面ファスナーである点にも特徴がある。
また、上記した脚長調整装置において、前記脚長調整部材の下端にはねじ式のアジャスターが備えられている点にも特徴がある。
【０００９】
また、上記した脚長調整装置において、前記脚長調整部材は軸の周囲にねじ山が設けられたボルト状部材であり、前記第２の固着手段は前記支持部材と固着されたクランプ部材であり、前記クランプ部材は、クランプ部材のねじを締めた状態で前記脚長調整部材を回転させることによって前記支持部材との軸方向の位置を調整できるようにするために内面ににねじ溝が切られ、かつ前記ねじを緩めることによって前記ボルト状部材をクランプ部材から離脱可能である点にも特徴がある。
【考案の効果】
【００１０】
本考案の脚長調整装置は、脚長の調整機能のないテーブルなどの脚に容易に装着できると共に、簡単な操作で大幅な高さ調整が可能であるという利点がある。また、例えば４本足のテーブルの場合、がたつきの防止であれば本考案の脚長調整装置を１つだけ装着すれば済み、傾斜地などにテーブルを水平に設置したい場合でも本考案の脚長調整装置を２つだけ装着すれば済む。
【図面の簡単な説明】
【００１１】
【図１】図１は実施例１の脚長調整装置をテーブルの脚に装着した状態を示す側面図である。
【図２】図２は実施例１の脚長調整装置をテーブルの脚に装着した状態を示す正面図、側面図、断面図である。
【図３】図３は実施例１の脚長調整装置の部品の形状を示す正面図、側面図、平面図である。
【図４】図４は実施例１の脚長調整装置の部品２の形状を示す平面図、側面図である。
【図５】図５は実施例１の脚長調整装置の変形例１の部品の形状を示す正面図、側面図、平面図である。
【図６】図６は実施例１の脚長調整装置の変形例２の部品の形状を示す断面図である。
【図７】図７は実施例２の脚長調整装置をテーブルの脚に装着した状態を示す側面図、断面図である。
【考案を実施するための形態】
【００１２】
以下に図面を参照して本考案の脚長調整装置の実施例について説明する。
【実施例１】
【００１３】
図１は実施例１の脚長調整装置をテーブルの脚に装着した状態を示す側面図である。不整地に置かれたテーブル１０の一方の脚１１（４本足のテーブルの場合には２本の脚）には、本考案の脚長調整装置１５が装着されている。
【００１４】
図２は実施例１の脚長調整装置１５をテーブルの脚１１に装着した状態を示す拡大した正面図、側面図、断面図である。また、図３は実施例１の脚長調整装置の部品である支持部材２０、脚長調整部材２６の形状を示す正面図、側面図、平面図である。更に、図４は実施例１の脚長調整装置の部品である第１、第２の面ファスナー２４、２８の形状を示す平面図、側面図である。本考案の脚長調整装置１５は、支持部材２０、脚長調整部材２６および第１、第２の面ファスナー２４、２８からなる。
【００１５】
支持部材２０は、下端部に長さを調整すべき脚１１の底面を支持するための底板２１を備え、また、脚１１に着脱自在に固着するための第１の固着手段である第１のテープ状の面ファスナー２４を２つ備えていると共に、脚長調整部材２６および支持部材２０の双方を脚１１と共に着脱自在に固着するための第２の固着手段である第２のテープ状の面ファスナー２８も備えている。
【００１６】
支持部材２０は細長い略長方形の板状部材であり、長方形の板を長辺に沿って２か所で鈍角に折り曲げることにより、短辺方向の断面において脚１１と係合する凹部が形成されている。支持部材２０の前記凹部と反対側の面の長手方向の中心線上には２つの突起２２（または複数の孔）を備えている。２つの突起２２は後述する脚長調整部材２６の孔の間隔の整数倍の間隔で設けられる。突起２２の端部はかぎ状に曲がっており、脚長調整部材の孔２９と係合する。なお、突起２２は先端が曲がっていない単なる突起であってもよく、突起２２の数は１個以上の任意の個数でよい。
【００１７】
脚長調整部材２６はやはり細長い略長方形の板状部材であり、長方形の板を長辺に沿って２か所で鈍角に折り曲げることにより、短辺方向の断面において支持部材２０と係合する凹部が形成されている。脚長調整部材２６の下端部には底板２７を備えている。脚長調整部材２６は、下端が支持部材２０の下端よりも下方に位置するようにして、脚の長さ方向の複数の位置のいずれかにおいて、支持部材２０と着脱自在に係合する。このために、支持部材２０の突起２２（または複数の孔）と嵌合する複数の孔２９（または突起）が等間隔に設けられている。支持部材２０および脚長調整部材２６はステンレス、鋼等の金属あるいは硬質プラスティックにより製造される。
【００１８】
第１のテープ状の面ファスナー２４は図４（Ａ）に示すように、テープの表面および裏面の所定の領域に微小なフック（かぎ）３０およびループ（輪）３１を密生させた周知の面ファスナー構造を備えている。第１のテープ状の面ファスナー２４は、予め一端（図４（Ａ）の左端）を支持部材２０の長辺近傍に設けられた細長い孔２５に通して面ファスナー同士を接着して固着しておいてもよい。使用時には、支持部材２０を脚１１の底部に装着し、面ファスナー２４で脚１１を巻いて、面ファスナー２４の他端（図４（Ａ）の右端）を支持部材２０の長辺近傍に設けられた細長い孔２４に通して折り返し、面ファスナー同士を接着して固着する。
【００１９】
第２のテープ状の面ファスナー２８はやはり図４（Ｂ）に示すように、テープの表面および裏面の所定の領域に微小なフック（かぎ）３０およびループ（輪）３１を密生させた周知の面ファスナー構造を備えている。第２のテープ状の面ファスナー２８もやはり予め一端（図４（Ｂ）の左端）を支持部材２０の長辺近傍に設けられた細長い孔２５に通して面ファスナー同士を接着して固着しておいてもよい。使用時には、まず脚長調整部材２６の孔２９を所望の位置において支持部材２０の突起２２と係合させる。その後、面ファスナー２８を脚長調整部材２６、支持部材２０、脚１１に巻き付け、最後に面ファスナー同士を接着して固着する。
【００２０】
実施例１の脚長調整装置においては、支持部材２０は予めテーブルの脚１１に取り付けておけば外す必要はなく、脚長調整部材２６のみを現地にて取り付け、取り外しすればよい。この場合、脚長調整部材２６を所望の位置で係合し、第２の面ファスナー２８を巻き付けるのみで容易に取り付け、調整が完了する。３本の面ファスナーも支持部材２０に予め取り付けておくので、紛失する恐れがなくなる。
【００２１】
図５は実施例１の脚長調整装置の変形例１の部品の形状を示す正面図、側面図、平面図である。図２等に示した第１実施例においては、脚長調整部材２６のいずれかの孔２９に支持部材２０の突起２２を嵌合させることによって脚の長さの調整を行うので、孔２９の間隔でしか長さの調整ができないという課題がある。図５に示す変形例はこの課題を解決し、脚の長さを連続的に微調整できるようにしたものである。
【００２２】
図５において、脚長調整部材２６の下端の底板２７に設けられたねじ孔にはねじ棒３６を備えたアジャスター３５が嵌合しており、アジャスター３５を回転させることにより、脚の長さを連続的に微調整することができる。アジャスター３５の可動範囲を孔２９の間隔よりも長くしておけば、脚長を任意の長さに調整可能となる。
【００２３】
図６は実施例１の脚長調整装置の第２の変形例の部品の形状を示す断面図である。第１実施例においては、脚長調整部材２６および支持部材２０の双方を脚１１と共に着脱自在に固着するための第２の固着手段としてテープ状の面ファスナー２８を用いる例を開示したが、第２の変形例は第２の固着手段としてクランプ金具を用いるものである。
【００２４】
図６において、脚長調整部材４０の一方の長辺には蝶番４３を介してクランプ金具４１の一端が回動可能に連結されている。クランプ金具の他端には孔あるいは切り込みが設けられており、この孔あるいは切り込みを通してビス４２を脚長調整部材４０の他方の長辺に設けられたねじ孔に嵌合させ、締めることにより、脚長調整部材２６および支持部材２０の双方を脚１１と共に着脱自在に固着する。なお、第１の固着手段を図６に示すものと同様の構造のクランプ金具にすることも可能である。クランプ金具をねじで締めることによってより強固に固着させることができる。
【実施例２】
【００２５】
図７は実施例２の脚長調整装置をテーブルの脚に装着した状態を示す側面図、断面図である。実施例２において、実施例１と主に異なる箇所は脚長調整部材（５５）および第２の固着手段（５７、５８）の構造である。第２実施例における脚長調整部材は軸の周囲にねじ山が設けられたボルト状部材５５である。また、第２実施例における第２の固着手段は支持部材５０と固着されたクランプ部材５７、５８である。
【００２６】
クランプ部材５７、５８は、蝶番６０によって回動可能に連結された２つの部材からなり、一方の部材は支持部材５０と固着されている。クランプ部材５７、５８は脚１１の軸方向の離れた２か所においてボルト状部材５５をクランプするように構成されており、クランプ部材の内面にはボルト状部材５５と対応するねじ溝が切られ、クランプ部材のねじ５９を締めた状態でボルト状部材５５を回転させることによって支持部材５０との軸方向の位置を調整できるようになっている。また、ねじ５９を緩めて２つの部材の間隔を開くことによって前記ボルト状部材５５をクランプ部材から離脱可能となっている。従って、高さを大幅に変更したい場合には、ボルト状部材５５を一旦クランプ部材から外し、所望の位置において再びクランプ部材で挟んで固着すればよい。
【００２７】
以上、実施例の細部について開示したが、本考案には以下に示すような変形例も考えられる。支持部材２０が脚１１から抜けて脱落してしまうのを防止するために、支持部材２０の凹部内面にゴムシートなどの滑り止め部材を貼り付けてもよい。
予め支持部材２０を脚１１に装着しておくのではなく、支持部材２０と脚長調整部材２６とを同時に装着するのであれば、第１の固着手段を省略し、第２の固着手段のみでも本考案を実施可能である。また、実施例においては第１の面ファスナー２４を２個、第２の面ファスナー２８を１個備える例を開示したが、第１の面ファスナー２４、第２の面ファスナー２８の個数はそれぞれ１個以上の任意の個数で実施可能である。
【産業上の利用可能性】
【００２８】
本考案の脚長調整装置は、テーブル等の脚の長さの調整の他、棒状部材の任意の長さの延長などの用途にも適用できる。
【符号の説明】
【００２９】
１０    テーブル
１１    脚
１５    脚長調整装置
２０    支持部材
２４    第１の面ファスナー
２６    脚長調整部材
２８    第２の面ファスナー
【図１】
0003180565.tif 000003
【図２】
0003180565.tif 000004
【図３】
0003180565.tif 000005
【図４】
0003180565.tif 000006
【図５】
0003180565.tif 000007
【図６】
0003180565.tif 000008
【図７】
0003180565.tif 000009
【手続補正書】
【提出日】平成24年10月18日(2012.10.18)
【手続補正１】
【補正対象書類名】実用新案登録請求の範囲
【補正対象項目名】全文
【補正方法】変更
【補正の内容】
【実用新案登録請求の範囲】
【請求項１】
長さを調整すべき脚の底面を支持し、前記脚に着脱自在に固着するための第１の固着手段を備えた支持部材と、
下端が前記支持部材の下端よりも下方に位置するように、前記脚の長さ方向の複数の位置のいずれかにおいて前記支持部材と係合する脚長調整部材と、
前記脚長調整部材と前記支持部材とを着脱自在に固着するための第２の固着手段と
を含むことを特徴とする脚長調整装置。
【請求項２】
前記支持部材は細長い板状部材で、突起または複数の孔を備えており、
前記脚長調整部材はやはり細長い板状部材で、前記突起または複数の孔と嵌合する複数の孔または突起を備えている
ことを特徴とする請求項１に記載した脚長調整装置。
【請求項３】
前記支持部材は短辺方向の断面において前記脚と係合する凹部が形成されており、
前記脚長調整部材は短辺方向の断面において前記支持部材と係合する凹部が形成されていることを特徴とする請求項２に記載した脚長調整装置。
【請求項４】
前記第１の固着手段および前記第２の固着手段は、テープ状の面ファスナーであることを特徴とする請求項３に記載した脚長調整装置。
【請求項５】
前記脚長調整部材の下端にはねじ式のアジャスターが備えられていることを特徴とする請求項４に記載した脚長調整装置。
【請求項６】
前記脚長調整部材は軸の周囲にねじ山が設けられたボルト状部材であり、
前記第２の固着手段は前記支持部材と固着されたクランプ部材であり、
前記クランプ部材は、クランプ部材のねじを締めた状態で前記脚長調整部材を回転させることによって前記支持部材との軸方向の位置を調整できるようにするために内面ににねじ溝が切られ、かつ前記ねじを緩めることによって前記ボルト状部材をクランプ部材から離脱可能である
ことを特徴とする請求項１に記載した脚長調整装置。